(57)【特許請求の範囲】
【請求項１】
設置面に立設されたパイプ状の支柱上端を塞ぐ支柱キャップであって、支柱キャップはキャップ本体と支持体とを備え、キャップ本体は支柱上端を覆う覆い部と、該覆い部の周縁より垂下された裾部とを備え、支持体は前記覆い部内面から垂下され、該覆い部内面に固定される縦板部とその両側端に形成された折曲部とを備え、前記折曲部は始端から先端に至るまで内方に弾性変形可能となされ、前記折曲部の外面と裾部の内面との間、又は前記折曲部の外面を始端から覆い部の内面方向に延長した仮想面と裾部の内面との間に前記支柱の上端が挿入されているとともに、前記折曲部の始端は、裾部の先端より下方に位置されていることを特徴とする支柱キャップ。
【請求項２】
前記支持体は、前記覆い部内面を横断する方向に形成された縦板部と、該縦板部の両端より覆い部の内周方向に沿って互いに反対方向に折曲された折曲部とにより、水平断面Ｚ形となされていることを特徴とする請求項１に記載の支柱キャップ。
【請求項３】
前記折曲部に通孔が形成されていることを特徴とする請求項１または２に記載の支柱キャップ。
【請求項４】
請求項１〜３のいずれか１項に記載の支柱キャップが取付けられた支柱間にビーム材が架設され、前記ビーム材を支持する支持部材が支柱を貫通する貫通ボルトにより支柱側面に取付けられたことを特徴とする防護柵。
【請求項５】
請求項３に記載の支柱キャップが支柱上端に取付けられ、支柱側面に穿設された貫通孔より前記折曲部の通孔に、該支柱キャップを支柱に固定する固定用部材が挿入されていることを特徴とする防護柵。
【発明の詳細な説明】
【技術分野】
【０００１】
本発明は、歩車道境界等に設置される防護柵に関し、特に支柱上端に取付けられる支柱キャップ及び、その支柱キャップが取付けられた支柱を備えた防護柵に関するものである。
【背景技術】
【０００２】
一般に、防護柵、ガードフェンス等に用いられる支柱は、筒状の鋼材が多く用いられ、この支柱上部の開口部を塞ぐために、様々な形態の支柱キャップが提案されている。そして本出願人も、キャップ本体と支持体とからなり、キャップ本体は管体端部を覆う覆い部と管体外径より僅かに大径の裾部とからなり、支持体は板体が折り曲げられてその水平断面形が平板部とその両側に曲折されたＺ折曲部とからなるＺ形になされその上部が前記覆い部に固定されて支持体の下部側から管体内径に挿入され、その支持体の断面の相対するＺ折曲部の縁端部間の寸法が管体内径寸法と同じかごく僅かに大なる寸法となされるとともに、Ｚ折曲部の縁端部下端が切り欠かれている支柱キャップを提案していた（例えば、特許文献１）。
【先行技術文献】
【特許文献】
【０００３】
【特許文献１】特開２００３−１１９７４０号公報
【発明の開示】
【発明が解決しようとする課題】
【０００４】
特許文献１の図面の図１に記載されている支柱キャップは、キャップ本体と支持体とからなり、キャップ本体は円筒の管体である支柱の上端を覆う覆い部と管体外径より大径の裾部とからなり、鋼製板によるプレス成形で製作されたものである。そして支持体は、鋼製の板体が折り曲げられてその水平断面形が平板部とその両側に曲折された折曲部とからなるＺ形になされたもので、支持体の上部の一部が曲折された部分において、すなわち折曲部の上端部分が前記キャップ本体の覆い部内面にスポット溶接によって固定されたものである。
【０００５】
そして上記支柱キャップは、前記折曲部の外面と裾部の内面との間の隙間に支柱の上端を挿入することにより、支柱に取付けられるのであるが、前記折曲部の上端部分が覆い部内面にスポット溶接によって固定されているため、前記折曲部の内面と裾部の内面との間の隙間寸法が固定されており、したがって、支柱の挿入が容易なように前記隙間寸法を支柱の上端の壁厚より広くすると、取付けられた支柱キャップが支柱に対してがたつき、そのがたつきを抑えるために、前記隙間寸法を狭くすると、支柱の挿入がしづらくなることから、挿入が容易で且つがたつきを抑えるようにするには、当該隙間寸法を支柱の上端の壁厚寸法に正確に合わせる必要が有り、かかる点を勘案して支柱キャップを精度良く製作するには非常な手間であった。
【０００６】
本発明は、前記の如き懸念を解消し、支柱に支柱キャップを挿入する際、支柱の挿入が容易で且つ取付けられた支柱キャップのがたつきを抑えることのできる支柱キャップ、及びこの支柱キャップが取付けられた支柱を備えた防護柵を提供せんとするものである。
【課題を解決するための手段】
【０００７】
上記目的を達成するために、本発明は次のような構成としている。
すなわち本発明に係る支柱キャップは、設置面に立設されたパイプ状の支柱上端を塞ぐ支柱キャップであって、支柱キャップはキャップ本体と支持体とを備え、キャップ本体は支柱上端を覆う覆い部と、該覆い部の周縁より垂下された裾部とを備え、支持体は前記覆い部内面から垂下され、該覆い部内面に固定される縦板部とその両側端に形成された折曲部とを備え、前記折曲部は始端から先端に至るまで内方に弾性変形可能となされ、前記折曲部の外面と裾部の内面との間、又は前記折曲部の外面を始端から覆い部の内面方向に延長した仮想面と裾部の内面との間に前記支柱の上端が挿入されているとともに、前記折曲部の始端は、裾部の先端より下方に位置されていることを特徴とするものである。
【０００９】
また本発明に係る支柱キャップは、前記支持体は、前記覆い部内面を横断する方向に形成された縦板部と、該縦板部の両端より覆い部の内周方向に沿って互いに反対方向に折曲された折曲部とにより、水平断面Ｚ形となされていることを特徴とするものである。
【００１０】
また本発明に係る支柱キャップは、前記折曲部に通孔が形成されていることを特徴とするものである。
【００１１】
また本発明に係る防護柵は、上記支柱キャップが取付けられた支柱間にビーム材が架設され、前記ビーム材を支持する支持部材が支柱を貫通する貫通ボルトにより支柱側面に取付けられたことを特徴とするものである。
【００１２】
また本発明に係る防護柵は、上記支柱キャップが支柱上端に取付けられ、支柱側面に穿設された貫通孔より前記折曲部の通孔に、該支柱キャップを支柱に固定する固定用部材が挿入されていることを特徴とするものである。
【発明の効果】
【００１３】
本発明に係る支柱キャップによれば、前記支柱キャップの折曲部は始端から先端に至るまで内方に弾性変形可能となされているので、折曲部の外面と裾部の内面との間に、又は前記折曲部の外面を始端から覆い部の内面方向に延長した仮想面と裾部の内面との間に、支柱の上端を挿入して、支柱キャップを支柱に取付けるに際して、挿入時においては前記折曲部は内方に撓み、挿入後においては外方への復帰力が働くようにすることができるので、支柱の挿入を容易にすることができ、しかも支柱に取付けられた状態においては、支柱キャップのがたつきを抑えるようにすることができる。
【００１４】
また本発明に係る支柱キャップによれば、前記折曲部の始端が裾部の先端より下方に位置するようになされ、すなわち、支柱の外面に当接する裾部に対して、支柱の内面に当接する折曲部が側面視において重なるところがないようにして形成されているため、裾部に対して折曲部が重なるところがあるようにして形成した場合に比べて、支柱の上端を挿入する際に、前記裾部及び折曲部によって過度に規制されず、支柱の挿入がより容易となり、しかも支柱に取付けられた状態においても、支柱キャップのがたつきを効果的に抑えることができる。
【００１５】
また本発明に係る支柱キャップによれば、前記支持体を、前記覆い部内面を横断する方向に形成された縦板部と、該縦板部の両端より覆い部の内周方向に沿って互いに反対方向に折曲された折曲部とにより、水平断面Ｚ形としているため、折曲部の弾性力を効果的に発現させることができ、もって支柱キャップを支柱内側面により強固に保持することができる。
【００１６】
また本発明に係る支柱キャップによれば、前記折曲部に通孔を形成しているため、折曲部に形成した通孔が対応する支柱側面に穿孔して貫通孔を設けさえすれば、支柱側面に孔のないタイプの支柱であってもタッピングビス等の固定用部材で支柱キャップを簡単に取付けることができ、防護柵を形成することもできる。
【００１７】
また本発明に係る防護柵によれば、上記支柱キャップが取付けられた支柱間にビーム材が架設され、前記ビーム材を支持する支持部材が支柱を貫通する貫通ボルトにより支柱側面に取付けられているため、支柱キャップの縦板部に透孔を設けておけば、支柱キャップとビーム材の支持部材とを貫通ボルトで一緒に固定することができ、好ましい。
【図面の簡単な説明】
【００１８】
【図１】本発明に係る支柱キャップを用いた防護柵の要部拡大の、（イ）は正面図、（ロ）は底面図である。
【図２】本発明に係る支柱キャップを示す、（イ）は平面図、（ロ）は正面図、（ハ）は側面図、（ニ）は背面図、（ホ）は底面図、（ヘ）は（ロ）のＡ矢視図、（ト）は（ロ）のＢ−Ｂ断面図である。
【図３】本発明に係る支柱キャップを用いた別の形態の防護柵を示す、（イ）は正面図、（ロ）はＡ−Ａ断面の拡大図である。
【発明を実施するための形態】
【００１９】
次に、本発明を実施するための形態について図面を参照し、具体的に説明する。
図面において、１は支柱、２は支柱１の間に架設されたビーム材、３は支柱１にビーム材２を支えるための支持部材、４は支柱の上部に取付けられる支柱キャップであり、本実施形態に係る防護柵Ｐは、支柱１、ビーム材２、支持部材３、支柱キャップ４とを備えている。
【００２０】
支柱１は、断面円形状の鋼管であり、地面に適宜間隔を開けて複数立設されている。この支柱１の間に、断面円形状の鋼管であるビーム材２が架設されている。また支持部材３である取付金具は、支柱１に固定される平板状の垂直板部３１と、ビーム材２を保持する保持部３２とを備える。この垂直板部３１は、その背面側で支柱１に当接されると共に、支柱１を横方向に貫通する貫通ボルトＢ１が挿通され、この貫通ボルトＢ１に螺合されたナットを締め付けることにより、垂直板部３１が支柱１の支柱側面１１に固定され、これによって、支持部材３は支柱１に取付けられる。
【００２１】
支持部材３の保持部３２は、垂直板部３１から延設された縦板状のビーム取付部３２１の上端及び下端から水平方向に突設された上板部３２２及び下板部３２３とによってビーム材２を保持するものであり、支持部材３を前後に２個対向させて、支柱側面１１とビーム材２の端部とを挟み、それぞれを貫通ボルトＢ１、Ｂ２で固定するようになされている。
【００２２】
支柱キャップ４は、キャップ本体５と支持体６とを備え、キャップ本体５は支柱１上端を覆うドーム状に形成された覆い部５１と、該覆い部５１の周縁よりやや斜め下方に垂下された短円管状の裾部５２とを備え、支持体６は前記覆い部５１の内面から垂下され、該覆い部５１の内面５１１に固定される縦板部６１とその両側端に形成された折曲部６２とを備え、前記折曲部６２は始端６２１から先端６２２に至るまで内方に弾性変形可能となされ、前記折曲部６２の外面６２３を始端６２１から覆い部５１の内面５１１方向に延長した仮想面と裾部５２の内面５２１との間に前記支柱１の上端が挿入され、縦板部６１の中央に穿設されている透孔６１１に、支柱１支持部材３を取付ける前記貫通ボルトＢ１が挿入されて、支柱キャップ４が支柱１から不必要に抜けないようになされている。
【００２３】
さらに支柱キャップ４の構造について詳しく説明する。
前記支持体６は、前記覆い部の内面５１１を横断する方向に形成された縦板部６１と、該縦板部６１の両側端より覆い部５１の内周方向に沿って互いに反対方向に折曲された折曲部６２とにより、水平断面Ｚ形となされており、そして前記折曲部６２の始端６２１は、裾部５２の先端５２２より下方に位置され、すなわち支柱１の内面に当接する折曲部６２は、その始端６２１と覆い部５１の内面５１１との間が切り欠かれたような形状となされ、支柱１の外面に当接する裾部５２に対して、折曲部６２の上部が側面視において重ならないようになされている。そして、覆い部５１の内面５１１と縦板部６１の上端縁とはスポット溶接により固着されているのであるが、覆い部５１はドーム状に形成されているため、縦板部６１が平板状であると、その上端縁と覆い部５１とは点接触となり、その部分をスポット溶接するだけでは強度面で充分とは言えない。そこで、さらに溶接強度を向上させるために、縦板部６１の上部６１２の両側端をほぼ直角に折曲し、その角部６１３をスポット溶接するようにしている。角部６１３をスポット溶接すれば、溶接面積を大きくできると共に、縦板部６１の上部６１２の両端をほぼ直角に折曲した上部折曲部６１４の上端が覆い部５１の内面５１１と接触していることで、支柱キャップ４を支柱１に挿入する時、ハンマー等で覆い部５１の上方から力が加えられた際に、縦板部６１で受ける面積をも増やすことにより、加わった力を分散することができる。なお、本実施形態において、折曲部６２と上部折曲部６１４は同じ方向に折曲されているが、それぞれ逆方向に折曲するようにしてもよい。
【００２４】
このようにすることにより、支柱１の上端に支柱キャップ４を被冠し、支持体６を支柱１内に挿入して支柱キャップ４をさらに深く挿入する時、支持体６の折曲部６２に弾性力が作用しても、折曲部６２が縦板部６１を介して覆い部５１の内面５１１に固定されている、すなわち覆い部５１の内面５１１と折曲部６２とを縁切りすることで、折曲部６２の変位が覆い部５１の内面５１１と縦板部６１の上端、つまりキャップ本体５と支持体６とのスポット溶接固定部分に弾性力が直接作用しにくくなされており、例えば木槌等の打撃具で覆い部５１を打撃して支柱キャップ４を挿入しても、すなわち折曲部６２の外面６２３を始端６２１から覆い部５１の内面５１１方向に延長した仮想面と裾部５２の内面５２１との間に支柱１の上端を挿入しても、キャップ本体５と支持体６とのスポット溶接固定部分が外れにくくしつつ、折曲部６２のバネ弾性力を効果的に発現させることができ、もって支柱キャップ４を支柱１内側面により強固に保持することができる。
【００２５】
また前記折曲部６２には通孔６２４が穿設されている。該通孔６２４は、図３に示すように、支柱１に貫通ボルトＢ１を用いて支柱キャップ４を取付ける構造を持たない防護柵Ｐにおいて、支柱キャップ４を取付ける場合に好適に用いることができる。すなわち、図３に示した防護柵Ｐは、隣り合う支柱１の相対向する側面にパネル保持部材７が溶接固定され、縦格子パネル８の最も端に配置された縦格子８１の側面に溶接固定されたパネル取付部材８２が前記パネル保持部材７上端に載置され、パネル保持部材７とパネル取付部材８２とを上下方向に貫通ボルトＢ３を貫通して固定された防護柵Ｐであって、かかる支柱１に支柱キャップ４を取付ける際、折曲部６２に形成した通孔６２４が位置する支柱側面１１に穿孔して貫通孔を設け、タッピングビス等の固定用部材９を螺入し、支柱１に支柱キャップ４を固定することができる。このように、支柱側面１１に穿孔して貫通孔を設けさえすれば、支柱側面１１に貫通孔のないタイプの支柱１であってもタッピングビス等の固定用部材９で支柱キャップ４を簡単に取付け、防護柵Ｐを形成することができ、ビーム材２を用いるタイプ及び縦格子パネル８を用いるタイプといった違う形態の防護柵Ｐであっても支柱キャップ４を共用することができ好ましい。
【００２６】
さらに前記折曲部６２の先端６２２は面取り加工がなされ、曲面部６２５が形成されている。このようにすることにより、支柱キャップ４を支柱１内に挿入する時、曲面部６２５が支柱１内側面に摺動しながら挿入され、支柱キャップ４を支柱１に取付けしやすくなされている。
【００２７】
なお、前記折曲部６２の通孔６２４の上部には吊り孔６２６が形成されている。この吊り孔６２６は、例えば支柱キャップ４をメッキ加工したり、塗装したりする際に、吊り孔６２６にフック等の吊り具先端を挿入し、支柱キャップ４を吊るためのものであり、このように、吊り孔６２６を支柱キャップ４の重心位置からずらした支柱キャップ４の上部側の位置に形成することにより、支柱キャップ４を吊った時、ドーム状の覆い部内面５１１が上方を向くことがなく、したがって、覆い部内面５１１にメッキ液や塗料が溜まることがない。
【００２８】
なお、上記形態の支柱キャップ４の折曲部の始端６２１は、裾部の先端５２２より下方に位置されて、支柱１の外面に当接する裾部５２に対して、折曲部６２が側面視において重なるところがないようになされているが、折曲部６２の始端６２１を裾部５２の先端５２２より上方に位置させて、裾部５２に対して、折曲部６２の上部が側面視において重なるようにしてもよい。
【００２９】
このように折曲部６２の始端６２１を裾部５２に重なる位置からスタートするようにすれば、折曲部６２の始端６２１を裾部５２に重ならない位置からスタートした場合と比べて、支柱１の上端を挿入する際に、前記裾部５２及び折曲部６２によって強く規制されて、支柱１の挿入により強い力が必要となるが、その分、支柱１に取付けられた状態においては、支柱キャップ４のがたつきを極めて効果的に抑えることができる。
【００３０】
支柱１は、ビーム材２を支えることを考慮すると金属製のものを用いるのが好ましく、一般にはアルミニウム、ステンレス、鉄鋼等のパイプ、形材からなる長尺体を適宜長さに切断したものや、それらにめっき、塗装を施したもの等を好適に用いることができる。
【００３１】
ビーム材２は、防護柵Ｐとしての必要な強度を考慮すると支柱１と同様に金属製のものを用いるのが好ましく、一般にはアルミニウム、ステンレス、鉄鋼等のパイプ、形材からなる長尺体を適宜長さに切断したものや、それらにめっき、塗装を施したもの等を好適に用いることができる。またビーム材２の断面形状が円形であれば、前記支持部材３の保持部３２のビーム取付部３２１と上板部３２２と下板部３２３とは、半円形に形成し、またビーム材２の断面形状が角形であれば、ビーム取付部３２１と上板部３２２と下板部３２３とは、半角形に形成するようにし、ビーム材２の外形に沿うように、ビーム取付部３２１と上板部３２２と下板部３２３とを形成すればよい。
【符号の説明】
【００３２】
１      支柱
１１    支柱側面
２      ビーム材
３      支持部材
３１    垂直板部
３２    保持部
３２１  ビーム取付部
３２２  上板部
３２３  下板部
４      支柱キャップ
５      キャップ本体
５１    覆い部
５１１  内面
５２    裾部
５２１  内面
５２２  先端
６      支持体
６１    縦板部
６１１  透孔
６１２  上部
６１３  角部
６１４  上部折曲部
６２    折曲部
６２１  始端
６２２  先端
６２３  外面
６２４  通孔
６２５  曲面部
６２６  吊り孔
７      パネル保持部材
８      縦格子パネル
８１    縦格子
８２    パネル取付部
９      固定用部材
Ｐ      防護柵
Ｂ１    貫通ボルト
Ｂ２    貫通ボルト
Ｂ３    貫通ボルト
【図１】
0005702612.tif 000002
【図２】
0005702612.tif 000003
【図３】
0005702612.tif 000004